(57)【要約】【課題】吸収体からの流れ出ることを防止しつつ、ウエスト周りのさらっと感を向上させる吸収性物品を提供する。【解決手段】吸収性本体１４（トップシート２１及び吸収体２２）に外側シート１５の延在部１５Ｅが重なる領域Ａには複数の穴からなる開口部１５Ｈが形成されている。ここで、液不透過性の外側シート１５の延在部１５Ｅの肌当接面上に流れ出た液体が存在しても、開口部１５Ｈを介してトップシート２１及び吸収体２２へと液体を吸収させることができる。また、開口面積が比較的大きい肌当接面側の開口部１５Ｈを介してトップシート２１及び吸収体２２へとスムーズに吸収させることができる。さらに、開口面積が比較的小さい非肌当接面側の開口部１５Ｈを介して外側シート１５の延在部１５Ｅの肌当接面上へと戻る必要があることから、ウエットバックを防止することができる。【選択図】図２
2019165876.tif 000002
【特許請求の範囲】
【請求項１】
液透過性の表面シートと、
前記表面シートの非肌当接面側に設けられた吸収体と、
前記表面シート及び前記吸収体の腹側端部及び背側端部を覆う疎水性シートと、
を備える吸収性物品であって、
前記疎水性シートに切り込み又は穴が設けられていることを特徴とする吸収性物品。
【請求項２】
前記吸収性物品は、前記吸収体の非肌当接面側に設けられる液不透過性の裏面シートと、前記裏面シートの非肌当接面側に設けられる外側シートとをさらに備え、
前記外側シートは、前記疎水性シートであり、前記表面シート及び前記吸収体の腹側端部及び背側端部を包み込むように肌当接面側に折り返され、ウエストギャザーを形成することを特徴とする請求項１に記載の吸収性物品。
【請求項３】
前記吸収性物品は、肌当接面側に折り返された前記外側シートと前記表面シートとの間に設けられる側方シートをさらに備え、
前記側方シートには、前記吸収体の腹側端部及び背側端部を覆う部分に、前記疎水性シートに設けられた前記切り込み又は前記穴と連通するように、切り込み又は穴が設けられていることを特徴とする請求項２に記載の吸収性物品。
【請求項４】
前記切り込み又は前記穴は、肌当接面側の開口面積が非肌当接面側の開口面積より大きくなっていることを特徴とする請求項１から請求項３のいずれか一項に記載の吸収性物品。
【請求項５】
前記疎水性シートには、複数の前記切り込み又は前記穴が、並列する直線形状、千鳥状、放射状のいずれか一つのパターンとして設けられていることを特徴とする請求項１から４のいずれか一項に記載の吸収性物品。
【発明の詳細な説明】
【技術分野】
【０００１】
本発明は、吸収体を備える吸収性物品に関する。
【背景技術】
【０００２】
排出された体液（以下、単に「液体」という）を吸収体に誘導して吸収させる使い捨ておむつ（以下、単に「おむつ」という）等の吸収性物品が広く知られている。吸収体は、主に繊維素材（パルプなど）と高吸収性樹脂（Ｓｕｐｅｒ  Ａｂｏｓｏｒｂｅｎｔ  Ｐｏｌｙｍｅｒ、単に「ＳＡＰ」という）とからなる吸収性コアを、ティッシュや不織布等の被覆部材によって包んだものである。この吸収体には、液体の吸収量を向上させることが求められている。
【０００３】
ここで、使い捨ておむつにおいては、吸収体を腹側及び背側まで延在させることにより、吸収体の厚みの増加を抑え、吸収体への液体の吸収量を向上させているものがある。しかしながら、腹側及び背側の吸収体は着用者の肌に常時密着しているため、肌に密着する吸収体が液体を保持した時に、吸収体に保持されていた液体が、吸収体の肌当接面側外部に戻る、いわゆるウエットバックが生じ、着用者にかゆみやかぶれ等の肌トラブル等の不快を感じさせていた。
【０００４】
そこで、例えば、特許文献１には、腹側部及び背側部まで延在する吸収体が示されており、この吸収体の延在方向両端部を疎水性シートで覆うことにより、吸収体に保持されていた液体のウエットバックを防止するものが開示されている。
【先行技術文献】
【特許文献】
【０００５】
【特許文献１】特開２０１７−９９８５４号公報
【発明の概要】
【発明が解決しようとする課題】
【０００６】
しかしながら、引用文献１に記載の吸収性物品では、長時間や夜間使用時には、吸収体の延在方向両端部を覆う疎水性シートの肌当接面上に液体が流れ出ることがあった。この流れ出た液体は、疎水シートにより吸収体への吸収が阻害され、着用者の肌に常時密着したり、おむつ端部から外に漏れ出ることで衣服等を濡らしたりして、着用者に依然として不快を感じさせる要因となっていた。
【０００７】
そこで、本発明の目的は、吸収体からの流れ出ることを防止しつつ、ウエスト周りのさらっと感を向上させる吸収性物品を提供することである。
【課題を解決するための手段】
【０００８】
上記課題を解決するために、本発明の吸収性物品は、液透過性の表面シートと、前記表面シートの非肌当接面側に設けられた吸収体と、前記表面シート及び前記吸収体の腹側端部及び背側端部を覆う疎水性シートと、を備える吸収性物品であって、前記疎水性シートに切り込み又は穴が設けられているものである。
【０００９】
また、上記吸収性物品は、前記吸収体の非肌当接面側に設けられる液不透過性の裏面シートと、前記裏面シートの非肌当接面側に設けられる外側シートとをさらに備え、前記外側シートは、前記疎水性シートであり、前記表面シート及び前記吸収体の腹側端部及び背側端部を包み込むように肌当接面側に折り返され、ウエストギャザーを形成することを特徴とするものとしてもよい。
【００１０】
また、上記吸収性物品は、肌当接面側に折り返された前記外側シートと前記表面シートとの間に設けられる側方シートをさらに備え、前記側方シートには、前記吸収体の腹側端部及び背側端部を覆う部分に、前記疎水性シートに設けられた前記切り込み又は前記穴と連通するように、切り込み又は穴が設けられていることを特徴とするものとしてもよい。
【００１１】
また、上記吸収性物品は、前記切り込み又は前記穴の断面形状は、肌当接面側の開口面積が非肌当接面側の開口面積より大きくなっていることを特徴とするものとしてもよい。
【００１２】
上記吸収性物品は、前記疎水性シートには、複数の前記切り込み又は前記穴が、並列する直線形状、千鳥状、放射状のいずれか一つのパターンとして設けられていることを特徴とするものとしてもよい。
【発明の効果】
【００１３】
本発明の吸収性物品によれば、吸収体からの流れ出ることを防止しつつ、ウエスト周りのさらっと感を向上させる吸収性物品を提供することができる。
【図面の簡単な説明】
【００１４】
【図１】本発明に係る使い捨ておむつの一実施形態を示す正面側から見た斜視図である。
【図２】図１に示される実施形態のサイドシール部を破って展開した状態をトップシート側から見た模式的な平面図である。
【図３】図２に示される展開した状態のおむつの分解斜視図である。
【図４】図２の後身頃領域におけるＩＶ−ＩＶ断面線で切断した断面図である。
【図５】図４に示される後身頃領域における肌当接面構造の別の実施形態を示す断面図である。
【図６】図２に示される吸収性本体（トップシート及び吸収体）に外側シートの延在部が重なる領域Ａに形成される開口部の形状及び配列パターンを示す平面図であって、（ａ）縦横配置された円形状、（ｂ）縦方向に千鳥配置された円形状、（ｃ）横方向に千鳥配置された円形状、（ｄ）横方向に並列した破線形状、（ｅ）横方向に千鳥配置された破線形状、（ｆ）縦方向に並列した破線形状、（ｇ）縦方向に千鳥配置された破線形状の例を示す図である。
【発明を実施するための形態】
【００１５】
本発明の実施形態について、図１から図６を参照しながら詳細に説明する。ただし、本発明は本実施形態の態様に限定されるものではない。なお、本明細書の記載及び図２，図３，図６において、Ｘ方向は吸収体２２の長手方向を表し、Ｙ方向は当該Ｘ方向に直交する方向であって吸収体２２の短手方向を表す。
【００１６】
＜おむつの概要＞
図１は、本発明に係る使い捨ておむつ（以下、単に「おむつ」という）１０の一実施形態を示す正面側から見た斜視図であり、図２は、図１に示される実施形態のサイドシール部を破って展開した状態をトップシート側から見た模式的な平面図であり、図３は、図２に示される展開した状態のおむつの分解斜視図である。ここで、図２のおむつ及び図３の吸収体については、説明の便宜上、部分的に破断した状態をそれぞれ示している。本実施形態におけるおむつ１０は、ウエスト周り開口部１１及びＹ方向に一対の脚周り開口部１２が形成された外装体１３と、この外装体１３の内側に配される吸収体２２とで主要部が構成される。
【００１７】
図１に示すように、おむつ１０は、前身頃領域１０Ｆと、後身頃領域１０Ｒと、これら前身頃領域１０Ｆ及び後身頃領域１０Ｒをつなぐ股下領域１０Ｃとを有する。ウエスト周り開口部１１は、着用時に前身頃領域１０Ｆと後身頃領域１０Ｒとで着用者のウエストの部分を取り囲むように形成されている。同様に、Ｙ方向に一対の脚周り開口部１２は、前身頃領域１０Ｆ及び後身頃領域１０Ｒの下端部と股下領域１０Ｃとで着用者の両脚の太股部分を取り囲むようにそれぞれ形成されている。着用時に前身頃領域１０Ｆは、着用者の腹側に位置し、後身頃領域１０Ｒは着用者の背側に位置する。そして、着用時に股下領域１０Ｃは、着用者の股下を覆い、Ｙ方向に一対の脚周り開口部１２に、着用者の脚がそれぞれ通された形となる。したがって、脚周り開口部１２は、着用者の両脚の付け根から太股あたりのいずれかに位置することとなる。
【００１８】
外装体１３は、液不透過性の外側シート１５（疎水性シート）と、着用者の肌に当接可能な内側シート１６と、ウエスト周り弾性部材１７と、Ｙ方向に一対の脚周り弾性部材１８とで構成される。外側シート１５は、内側シート１６とほぼ同じ寸法及び形状（砂時計形状）の部分に加えて、Ｘ方向の両端側に延在する延在部１５Ｅを有している。ウエスト周り弾性部材１７及びＹ方向に一対の脚周り弾性部材１８は、外側シート１５と、不織布にて形成された内側シート１６との間に伸長状態で配される。ウエスト周り弾性部材１７によって着用者のウエストの部分に対応するウエスト周り開口部１１が絞られ、ここにウエストギャザー１１ｇが形成される。同様に、Ｙ方向に一対の脚周り弾性部材１８によって着用者の両脚の太股部分に対応するＹ方向に一対の脚周り開口部１２がそれぞれ絞られ、ここにそれぞれレッグギャザー１２ｇが形成される。外側シート１５の延在部１５Ｅには、詳細は後述するが複数の開口部１５Ｈが形成されている。
【００１９】
細長い矩形のシート状をなす吸収性本体１４は、おむつ１０の前身頃領域１０ＦからＹ方向の脚周り開口部１２の間の股下領域１０Ｃを通って後身頃領域１０Ｒまで延在する。本実施形態における吸収性本体１４は、液不透過性のバックシート（裏面シート）２０と、このバックシート２０よりも少し小さめの寸法形状を持つ液透過性のトップシート（表面シート）２１と、細長いシート状をなす吸収体２２と、Ｙ方向に一対の疎水性の側方シート（サイドシート）２３とで主要部が構成されている。バックシート２０は、外装体１３の肌当接面側（つまり内側シート１６の肌当接面側）に接合され、吸収体２２は、バックシート２０とトップシート２１との間に配置され、この吸収体２２を介してトップシート２１がバックシート２０の肌当接面側に接合される。ここで、トップシート２１と吸収体２２とが接する面には接着剤が塗布され、トップシート２１と吸収体２２とを一体的に形成するので、トップシート２１と吸収体２２がしっかりと接合しトップシート２１が剥がれ難いものとなっている。
【００２０】
吸収体２２全体を覆うトップシート２１の外周端縁は、バックシート２０の外周縁部に接合されている。さらに、側方シート２３のＹ方向両側端縁部がバックシート２０の側端縁部に接合され、側方シート２３の長手方向両端縁部もバックシート２０の長手方向両端縁部に接合されている。従って、トップシート２１のＹ方向両側に覆い重なるＹ方向に一対の側方シート２３の内側部分（図２中、中央側）は、トップシート２１に対して非接合状態となっている。この内側部分で立体ギャザー２３ｇを形成するため、側方シート２３の内側端縁部に糸ゴム２４が伸張状態で接合されている。従って、このようなおむつ１０を着用した状態では、尿や便は、吸収性本体１４のトップシート２１上に導かれ、水分がトップシート２１を通過して吸収体２２に吸収されることとなる。
【００２１】
トップシート２１の下に位置する本実施形態の吸収体２２は、主にパルプとＳＡＰとからなる吸収性コア２２ａを、ティシュや不織布等の被覆部材（コアラップ）２２ｂによって被覆したものである。吸収性コア２２ａを被覆部材２２ｂにより包むことで形成される継ぎ目は、例えば、図３に示すように、吸収体２２の上面であって長手方向に延びるように形成される。本実施形態の吸収体２２は、前身頃、股下、後身頃に亘るように、細長い形状をしている。ここで、本実施形態の吸収体２２は、Ｘ方向の長さとＹ方向の長さとが異なる矩形のものである（図２及び図３では、Ｘ方向の長さがＹ方向の長さより長くなっている）。なお、本実施形態の吸収体２２の形状はこれに限らず、例えばＸ方向及びＹ方向の長さが同程度の略正方形のもの、Ｘ方向端部の角が丸く落とされているもの、Ｘ方向に延びる楕円形のもの、円形のもの等、さまざまな形状を含む。また、吸収体２２の股下部分には、一対の脚周り開口部１２に対応するように、円弧状または台形、矩形などの四角形状をなすＹ方向に一対の切欠き部が形成されても良い。なお、本実施形態に係るおむつ１０では、被覆部材２２ｂで包まれた吸収体２２を用いているが、本発明に係る吸収性物品は、被覆部材２２ｂで包まれていない吸収性コア２２ａを吸収体２２として用いてもよい。
【００２２】
おむつ１０の前身頃領域１０Ｆ及び後身頃領域１０Ｒにおける外装体１３（外側シート１５及び内側シート１６）のＹ方向の端縁には、ウエスト周り開口部１１と脚周り開口部１２とにつながる一対のサイドシール部１９が形成されている。図３に示すように、まず、外側から順に、外側シート１５、内側シート１６、及び、吸収性本体１４を順に重ね合わせるとともに接合し、この内側シート１６及び吸収性本体１４のＸ方向の両端部を包み込むように、外側シート１５の延在部１５Ｅを、肌当接面側に折り返すとともに、内側シート１６及び吸収性本体１４の両端部と接合する。次に、外装体１３に形成されたサイドシール部１９を相互に重ね合わせ、これらの当接部分を接合する。これにより、ウエスト周り開口部１１とＹ方向に一対の脚周り開口部１２とが形成された図１に示すようなおむつ１０を得ることができる。
【００２３】
なお、本実施形態に係るおむつ１０では、被覆部材２２ｂで包まれた吸収体２２を用いているが、本発明に係る吸収性物品は、被覆部材２２ｂで包まれていない吸収性コア２２ａを吸収体２２として用いても良い。
【００２４】
次に、本実施形態の前身頃領域１０Ｆ及び後身頃領域１０Ｒにおいて、着用者の肌と常時当接する肌当接面構造について説明する。
【００２５】
＜肌当接面構造＞
図４は、図２の後身頃領域１０ＲにおけるＩＶ−ＩＶ断面線で切断した断面図である。ここで、前身頃領域１０Ｆにおける肌当接面構造は、後身頃領域１０Ｒにおける肌当接面構造と同様の構造を有していることから、説明を省略する。
【００２６】
図２及び図４に示すように、吸収性本体１４のＸ方向の端部及び外側シート１５の延在部１５Ｅから形成される肌当接面構造は、吸収性本体１４（トップシート２１及び吸収体２２）に延在部１５Ｅが重なる領域Ａ（図２の矢印Ａが指すドットで示される領域）（以下、「領域Ａ」という。）、及び、吸収性本体１４（トップシート２１、側方シート２３及び吸収体２２）に延在部１５Ｅが重なる領域Ｂ（図２の矢印Ｂが指す斜線のハッチングで示される領域）（以下、「領域Ｂ」という。）にそれぞれ設けられている。
【００２７】
この吸収性本体１４（少なくともトップシート２１及び吸収体２２）に延在部１５Ｅが重なる領域Ａ，Ｂにおいて、液不透過性の外側シート１５に設けられる延在部１５Ｅは、疎水性シートとして機能し、吸収性本体１４を包み込むように肌当接面側に折り返されるとともに、積層及び接合されている。これにより、吸収性本体１４のＸ方向の端部からの液体の流れ出ることを防止するとともに、液体を保持した吸収性本体１４が直接肌に接触することを防止することができる。また、疎水シートとして外側シート１５に設けられる延在部１５Ｅを用いることにより、疎水シートと外側シート１５とを一体化することができ、製造工程を簡略化することができる。
【００２８】
さらに、領域Ａにおいて、延在部１５Ｅには複数の円形状の穴からなる開口部１５Ｈが形成されている。ここで、図４が示すように、液不透過性の延在部１５Ｅの肌当接面上に流れ出た液体が存在しても、開口部１５Ｈを介してトップシート２１及び吸収体２２へと液体を吸収させることができる。また、開口部１５Ｈの形状は、肌当接面側の開口面積を非肌当接面側の開口面積より大きくしている。これにより、延在部１５Ｅの肌当接面上に流れ出た液体は、開口面積が比較的大きい肌当接面側の開口部１５Ｈを介してトップシート２１及び吸収体２２へとスムーズに吸収させることができる。さらに、吸収体２２に保持されていた液体が、開口面積が比較的小さい非肌当接面側の開口部１５Ｈを介して延在部１５Ｅの肌当接面上へと戻る必要があることから、ウエットバックを防止することができる。なお、開口部１５Ｈは、液体のみならず空気も導入し得るものであるから、領域Ａの肌当接面構造における通気性を確保することが可能となる。
【００２９】
図５は、図４に示される後身頃領域１０Ｒにおける肌当接面構造の別の実施形態を示す断面図である。ここで、前身頃領域１０Ｆにおける肌当接面構造は、後身頃領域１０Ｒにおける肌当接面構造と同様の構造を有していることから、説明を省略する。
【００３０】
後身頃領域１０Ｒにおける吸収性本体１４のＸ方向の端部及び延在部１５Ｅから形成される肌当接面構造は、上記実施形態と同様に、吸収性本体１４（少なくともトップシート２１及び吸収体２２）に延在部１５Ｅが重なる領域Ａ，Ｂ（図２及び図５参照）に設けられている。
【００３１】
領域Ａに、複数の穴からなる開口部１５Ｈが形成されているとともに、吸収性本体１４（トップシート２１、側方シート２３及び吸収体２２）に延在部１５Ｅが重なる領域Ｂにも、複数の穴からなる開口部１５Ｈ，２３Ｈが形成されている。ここで、領域Ａにおける開口部１５Ｈは、上記実施形態と同様であるから、説明は省略する。
【００３２】
領域Ｂにおいて、外側シート１５及び側方シート２３には、複数の円形状の穴からなる開口部１５Ｈ，２３Ｈがそれぞれ形成されており、この開口部１５Ｈ，２３Ｈ同士は、互いに流体連通するように配置されている。ここで、図５が示すように、液不透過性の延在部１５Ｅの肌当接面上に流れ出た液体が存在しても、開口部１５Ｈ，２３Ｈを介してトップシート２１及び吸収体２２へと液体を吸収させることができる。これにより、上記実施形態（図４参照）と比べ、広い領域（領域Ａ及び領域Ｂ）に開口部を設けることができ、吸収体２２のより広い領域に液体を吸収させることができる。また、開口部１５Ｈ，２３Ｈのそれぞれの形状は、肌当接面側の開口面積を非肌当接面側の開口面積より大きくしている。これにより、延在部１５Ｅの肌当接面上に流れ出た液体は、開口面積が比較的大きい肌当接面側の開口部１５Ｈ，２３Ｈを介してトップシート２１及び吸収体２２へとスムーズに吸収させることができる。さらに、吸収体２２に保持されていた液体が、開口面積が比較的小さい非肌当接面側の開口部１５Ｈ及び開口部２３Ｈの２箇所を介して延在部１５Ｅの肌当接面上へと戻る必要があることから、ウエットバックをより防止することができる。なお、開口部１５Ｈ及び開口部２３Ｈは、液体のみならず空気も導入し得るものであるから、領域Ｂの肌当接面構造における通気性を確保することが可能となる。
【００３３】
なお、本実施形態では疎水シートとして、外側シート１５の延在部１５Ｅを用いているが、これに限らず、例えば、外側シート１５とは別体の疎水シートを用いてもよい。また、本実施形態では前身頃領域１０Ｆ及び後身頃領域１０Ｒにおける領域Ａ又は領域Ａ，Ｂに開口部を設けるものを示しているが、これに限らず、例えば、前身頃領域１０Ｆ及び後身頃領域１０Ｒのいずれか一方の領域Ａに開口部を設け、他方の領域Ａ，Ｂに開口部を設けてもよい。
【００３４】
次に、本実施形態の前身頃領域１０Ｆ及び後身頃領域１０Ｒにおける、延在部１５Ｅに形成される開口部１５Ｈ，１５Ｌの形状及び配列パターンを示し、この形状及び配列パターンにより、吸収性本体１４のＸ方向の端部全体に、液体を迅速に拡散させ、効率よく吸収させることについて説明する。
【００３５】
＜開口部の形状及び配列パターン＞
図６は、図２に示される領域Ａに形成される開口部１５Ｈ，１５Ｌの形状及び配列パターンを示す平面図である。ここで、領域Ｂにそれぞれ形成される開口部１５Ｈ，２３Ｈの形状及び配列パターンについては、説明を省略しているが、領域Ａに形成される開口部１５Ｈ，１５Ｌの形状及び配列パターンと同じものをそれぞれ採用することにより、トップシート２１及び側方シート２３の開口部同士を互いに流体連通させることができる。
【００３６】
複数の開口部１５Ｈ，１５Ｌの形状は、図６（ａ）乃至図６（ｃ）に示すような穴を構成する円形状、又は、図６（ｄ）乃至図６（ｇ）に示すような切り込みを構成する直線形状として設けられている。ここで、円形状の開口部１５Ｈについては、着用者の動き等により開口部１５Ｈに引張力が加わる際に、この引張力の方向と円形状の開口部１５Ｈとが接する接点に集中応力が働くことになる。よって、引張力の方向は常に変化することから、開口部１５Ｈの固定された接点に集中応力が働くこと、つまり、延在部１５Ｅの破損を防ぐことができる。一方、直線形状の開口部１５Ｌについては、円形状の開口部１５Ｈと比べ、延在部１５Ｅの肌当接上を移動する液体を開口部１５Ｌへと比較的簡単に導入できるとともに、吸収体２２に対して液体の広がる方向を定めることができる。
【００３７】
円形状である開口部１５Ｈの配列パターンをみると、図６（ａ）は、縦横配置された円形状であり、図６（ｂ）は、縦方向に千鳥配置された円形状であり、図６（ｃ）は、横方向に千鳥配置された円形状である。この円形状である開口部１５Ｈを、領域Ａ全体に設けることにより、延在部１５Ｅの肌当接面上に流れ出た液体は、開口部１５Ｈへと導入されるとともに、トップシート２１を介して吸収体２２のＸ方向の端部全体に迅速に拡散させ、効率よく吸収させることができる。ここで、開口部１５Ｈを縦横配置された円形状（図６（ａ））とすると、各開口部１５Ｈが縦横方向に整列されているため、着用者が起きた状態、又は、着用者が横になった状態では、重力方向（Ｘ方向又はＹ方向）に液体が移動することから、液体が開口部１５Ｈへと導入されないおそれがある。そこで、開口部１５Ｈを縦方向に千鳥配置された円形状（図６（ｂ））とすると、Ｙ方向からみて、各開口部１５Ｈに隙間が生じないことから、着用者が横になった状態において、移動する液体を開口部１５Ｈへと確実に導入することができる。また、開口部１５Ｈを横方向に千鳥配置された円形状（図６（ｃ））とすると、Ｘ方向からみて、各開口部１５Ｈに隙間が生じないことから、着用者が起きた状態において、移動する液体を開口部１５Ｈへと確実に導入することができる。さらに、縦横配置された円形状（図６（ａ））及び千鳥配置された円形状（図６（ｂ），図６（ｃ））において、開口部１５Ｈ同士を密に配置することにより、開口部１５Ｈ同士の隙間が狭くなり、移動する液体を開口部１５Ｈへとさらに確実に導入することができる。
【００３８】
直線形状である開口部１５Ｌの配列パターンをみると、図６（ｄ）は、横方向に並列した破線形状であり、図６（ｅ）は、横方向に千鳥配置された破線形状であり、図６（ｆ）は、縦方向に並列した破線形状であり、図６（ｇ）は、縦方向に千鳥配置された破線形状である。この直線形状である開口部１５Ｌを、領域Ａ全体に設けることにより、延在部１５Ｅの肌当接面上に流れ出た液体は、開口部１５Ｌへと導入されるとともに、トップシート２１を介して吸収体２２のＸ方向の端部全体に迅速に拡散させ、効率よく吸収させることができる。ここで、開口部１５Ｌを横方向に並列した破線形状（図６（ｄ））とすると、各開口部１５Ｌが縦横方向に整列されているため、着用者が起きた状態では、重力方向（Ｘ方向）と垂直方向に開口部１５Ｌが延在することから、移動する液体を開口部１５Ｌへと効率的に導入することができる。この際、開口部１５Ｌが隙間を有する破線形状であるため、この隙間を通る液体が開口部１５Ｌへと導入されないおそれがある。そこで、開口部１５Ｌを横方向に千鳥配置された破線形状（図６（ｅ））とすると、Ｘ方向からみて、各開口部１５Ｌに隙間が生じないことから、着用者が起きた状態において、移動する液体を開口部１５Ｌへと確実に導入することができる。同様に、開口部１５Ｌを縦方向に並列した破線形状（図６（ｆ））とすると、各開口部１５Ｌが縦横方向に整列されているため、着用者が横になった状態では、重力方向（Ｙ方向）と垂直方向に開口部１５Ｌが延在することから、移動する液体を開口部１５Ｌへと効率的に導入することができる。この際、開口部１５Ｌが隙間を有する破線形状であるため、この隙間を通る液体が開口部１５Ｌへと導入されないおそれがある。そこで、開口部１５Ｌを縦方向に千鳥配置された破線形状（図６（ｇ））とすると、Ｙ方向からみて、各開口部１５Ｌに隙間が生じないことから、着用者が横になった状態において、移動する液体を開口部１５Ｌへと確実に導入することができる。
【００３９】
なお、本実施形態の開口部の形状は、穴を構成する円形状又は切り込みを構成する直線形状とするものが示されているが、これに限らず、例えば、穴を構成するものとして、三角形状等の多角形や星形状や、切り込みを構成するものとして、曲線形状、波形状や、これらの形状の組合せでもよい。ここで、開口部へ導入できる液体の量と、開口部からウエットバックする液体の量は、トレードオフの関係となっているため、各々の開口部の開口面積は用途に応じて最適なものに設定する必要がある。
【００４０】
よって、本実施形態の穴からなる開口部の直径は、１〜５ｍｍが好ましく、２〜４ｍｍが更に好ましい。穴の直径が１ｍｍより小さいと液体が通り難くなり、穴の直径が５ｍｍを超えると、十分なウエットバック防止効果が得られない。また、吸収体に重なる疎水性領域の面積に対する開口部の面積比は、５〜５０％が好ましく、１０〜３０％が更に好ましい。
【００４１】
また、本実施形態の切り込みからなる開口部の長さは、２〜１０ｍｍが好ましく、３〜８ｍｍが更に好ましい。長さが２ｍｍより小さいと液体が通り難くなり、長さが１０ｍｍを超えると十分なウエットバック防止効果が得られない。さらに、吸収体に重なる疎水性領域において、１ｃｍ２あたりの切り込みの数が、１〜１０個が好ましく、２〜６個が更に好ましい。
【００４２】
また、本実施形態の開口部の配列パターンは、縦方向や横方向に配列されるものが示されているが、これに限らず、例えば、斜め方向に並列、放射状又は同心円形状や、これらの配列パターンの組合せでも良い。また、開口部の配列パターンを、領域Ａ、又は、領域Ａ，Ｂのみに精度よく設ける必要はなく、例えば、吸収性本体１４と重ならない延在部１５Ｅの領域に亘って設けることにより、作業効率を向上させることができる。
【００４３】
さらに、本実施形態の開口部１５Ｈの配列パターンは、領域ＡのＸ方向及びＹ方向の端部まで形成されていないものを示しているが、開口部１５Ｈの配列パターンを、Ｘ方向及びＹ方向の両端部まで形成してもよい。なお、開口部１５Ｈの配列パターンをＸ方向の上端部まで形成すると、液体が吸収体２２のＸ方向の上端部より流れ出るおそれがあることから、Ｘ方向の下端部及びＹ方向の両端部まで形成することが好ましい。
【００４４】
＜その他＞
本発明は、上述した実施形態や、随所に述べた変形例に限られることなく、本発明の技術的思想から逸脱しない範囲で、適宜の変更や変形が可能である。
【００４５】
例えば、上記実施形態では、トップシート２１及び吸収体２２の表面に凹部が形成されていない例を示したが、これに限られない。例えば、トップシート２１及び吸収体２２の表面に凹部が連続又は間欠的に形成されてもよいし、凹部の配列パターンは、例えば、三角形、六角形等の多角形の配列パターン、直線状、曲線状、または波状のものを並列したパターン等様々な配列パターンであってもよい。このトップシート２１及び吸収体２２の表面に形成される凹部と、延在部１５Ｅに形成される開口部１５Ｈ，１５Ｌとを重なるように設けることにより、開口部１５Ｈ，１５Ｌを介して導入された液体は、凹部を伝って吸収体２２に迅速に拡散させ、効率よく吸収させることができる。一方、トップシート２１及び吸収体２２の表面に形成される凹部と、延在部１５Ｅに形成される開口部１５Ｈ，１５Ｌとをずらして設けることにより、開口部を介して導入された液体は、トップシート２１及び吸収体２２に迅速に吸収させることができる。
【符号の説明】
【００４６】
１０  おむつ
１０Ｆ  前身頃領域
１０Ｒ  後身頃領域
１０Ｃ  股下領域
１１  ウエスト周り開口部
１２  脚周り開口部
１３  外装体
１４  吸収性本体
１５  外側シート（疎水性シート）
１５Ｅ  延在部
１５Ｈ  開口部（穴）
１５Ｌ  開口部（切り込み）
１６  内側シート
１７  ウエスト周り弾性部材
１８  脚周り弾性部材
１９  サイドシール部
２０  バックシート（裏面シート）
２１  トップシート（表面シート）
２２  吸収体
２３  側方シート
２３Ｈ  開口部（穴）
２３ｇ  立体ギャザー
２４  糸ゴム
【図１】
2019165876.tif 000003
【図２】
2019165876.tif 000004
【図３】
2019165876.tif 000005
【図４】
2019165876.tif 000006
【図５】
2019165876.tif 000007
【図６】
2019165876.tif 000008